(57)【要約】【課題】紙ジャムが発生した場合の装置本体の内外の２つの搬送ガイド体４２、４３の開放作業を簡便化してジャム処理の手間を少なくし、且つジャムした用紙に損傷を与えないで、第２搬送路３４を開放する。【解決手段】装置本体に固定された第１搬送ガイド体４１とその外周側の第２搬送ガイド体４２とにより、上段給紙カセット上の用紙ＰをＵ字状に記録部１２へ搬送案内する第１搬送路２３が形成され、第２搬送ガイド体４２とその外周側の第３搬送ガイド体４３とにより、下段給紙カセット上の用紙Ｐ１を同じくＵ字状に搬送案内する第２搬送路３４が形成され、第２及び第３搬送ガイド体は、下側を中心にして後面開口部３５に対して開閉回動に装着され、第２搬送ガイド体に設けられたフック体５８が第２搬送路３４を挟んで第３搬送ガイド体の被係合部６３に係合し、且つ第２搬送路を通過する用紙Ｐ１の先端にてフック体５８を押し上げて係合を解除する。【選択図】図４
2010083626.tif 000002
【特許請求の範囲】
【請求項１】
装置本体の収容部に、上下に２段の第１及び第２給紙カセットがそれぞれ挿抜可能に配置され、前記収容部の上方に配置された記録部を有し、
前記各給紙カセットに堆積状態で収容させた被記録媒体のうち１の被記録媒体を、それぞれ所定の搬送向きに給送して分離する給紙手段を備えた画像記録装置であって、
前記装置本体のうち前記搬送向きの奥側に配置された第１搬送ガイド体の外周部とその外周側に配置された第２搬送ガイド体の内周部とにより、前記第１給紙カセットから給送された被記録媒体を前記記録部に案内する第１搬送路と、
前記第２搬送ガイド体の外周部とその外周側に配置された第３搬送ガイド体の内周部とにより、前記第２給紙カセットから給送された被記録媒体を前記記録部に案内する第２搬送路と、が形成され、
前記第２搬送ガイド体及び第３搬送ガイド体は、それぞれ、被記録媒体の案内向きの上流側端部を中心にして前記装置本体の前記搬送向きの奥側の開口部に対して開閉回動に装着され、
前記第２搬送ガイド体又は前記第３搬送ガイド体のいずれか一方に配置された係合手段が、常には前記第２搬送路を挟んで前記第２搬送ガイド体又は前記第３搬送ガイド体のうち他方の被係合部に係合し、且つ前記第２搬送路を被記録媒体が通過するとき、被記録媒体の先端により、前記係合手段が前記被係合部に対する係合を解除されることを特徴とする画像記録装置。
【請求項２】
前記係合手段が前記被係合部に係合した状態では、前記開口部を開放するために前記第３搬送ガイド体を開く向きに回動させるとき、前記第２搬送ガイド体も同時に開く向きに回動することを特徴とする請求項１に記載の画像記録装置。
【請求項３】
前記係合手段は、前記第２搬送路を通過する被記録媒体の搬送方向と交差する方向のうち、被記録媒体の幅方向の中央寄り部位に設けられていることを特徴とする請求項１または２に記載の画像記録装置。
【請求項４】
前記開口部を閉塞するために前記第３搬送ガイド体を閉じる向きに回動させるとき、前記第３搬送ガイド体の内周部に設けられた摺接部が、前記第２搬送ガイド体の外周部に摺接して、当該第２搬送ガイド体を閉じる向きに回動させることを特徴とする請求項１乃至３のいずれかに記載の画像記録装置。
【請求項５】
前記第３搬送ガイド体には、装置本体に係脱することにより、前記開口部を閉塞する姿勢を保持するロック手段が備えられていることを特徴とする請求項１乃至４のいずれかに記載の画像記録装置。
【請求項６】
前記第２搬送ガイド体及び第３搬送ガイド体により閉塞する第１開口部が前記装置本体の一方の側面に設けられ、
前記各給紙カセットは、前記第１開口部と対峙する側面に設けられた第２開口部から前記収納部へと挿入可能に構成されていることを特徴とする請求項１乃至５のいずれかに記載の画像記録装置。
【発明の詳細な説明】
【技術分野】
【０００１】
本発明は、装置本体に対して上下複数段の給紙カセットを備え、各給紙カセットからの給紙動作時に発生する虞れのある紙詰まり、いわゆる紙ジャムに容易に対処できるようにした画像記録装置に関するものである。
【背景技術】
【０００２】
コピー装置やプリンタ装置等の画像記録装置であって、装置本体内に、上段の給紙カセットと、下段の給紙カセットとがそれぞれ挿抜可能に配置された画像記録装置が製品化されている。このような画像記録装置の中には、上段の給紙カセットの上方に記録部が設けられ、給紙カセットの挿抜方向の奥側には、Ｕターン状の搬送体が配置されたものがある。このような画像記録装置において、このＵターン状の搬送路で紙ジャムが発生した場合の処理する構成が、従来から種々案出されている。そのうち、例えば特許文献１では、装置本体内に、各給紙カセットの上方に、上下方向に揺動するアームを設け、そのアームの先端に給紙ローラを備えた給送手段が配設されている。そして、上段給紙カセットより上側に配置された記録部において、その用紙搬送方向における上流側に、レジストローラが配置されている。
【０００３】
上段給紙カセットから分離された用紙を上方へ反転給送するための横向きＵターン状の第１搬送路と、下段給紙カセットから分離された用紙を上方へ反転給送するための横向きＵターン状の第３搬送路とは、その給送下流側端で合流し、レジストローラに向かう１つの搬送路に接続されている。
【０００４】
その場合、第１搬送路の湾曲部の外側に第２搬送路が形成される。そして、第２搬送路は、装置本体の最奥側（取り外し用の開口部）に位置する第１搬送ガイド体の内周と第２搬送ガイド体の外周との間に形成される。第１搬送ガイド体と第２搬送ガイド体とが結合されたガイド部材は、取り外し用の開口部に対して着脱可能となっている。なお、第２搬送ガイド体の内周と第３搬送ガイド体の外周との間に第１搬送路が形成され、第３搬送ガイド体は装置本体のメインフレームに固定されている。
【０００５】
特許文献１の構成では、上記ガイド部材を取り外し用の開口部から取り外すことで、上記第１搬送路または第２搬送路中で発生した紙ジャムの紙を取り除くが、第１搬送ガイド体と第２搬送ガイド体とが結合されていて、第２搬送路がその搬送経路に沿って開放できないため、詰まった紙を取り除く作業が困難になることがあった。特に、第２搬送路を通過中の用紙の先端側がレジストローラに挟持され、用紙の後端側が給紙ローラ側に挟持されている状態では、上記ガイド部材を取り外し用の開口部から外する作業中に、湾曲した第２搬送路の狭い隙間内の用紙が破れるなどしてきれいに紙ジャム処理できなくなる。
【０００６】
他方、特許文献２では、装置本体内の上下中途部に、感光体とトナー転写部と、熱定着部とからなる画像形成装置が配置され、この画像形成装置の下方に上下２段の給紙カセットが配置されている。そして、画像形成装置の熱定着部より排出された用紙を装置本体上方の排紙台に導くＵターン状の第２搬送路と、その反対側に用紙を搬送する第１搬送路とが形成され、第１搬送路と第２搬送路との分岐部には、２つの分岐爪を有する経路切換機構が設けられている。
【０００７】
上記第２搬送路の排出端には排出口及び排出ローラが設けられている。一旦排出口方向に搬送された用紙の後端が排出口と一方の分岐爪の間に達した時、排出ローラを逆転させると共に２つの分岐爪の状態を切換えて、表面に記録済みの用紙の搬送方向を逆転（スイッチバック）させてＵターン状の第１搬送路（両面複写用搬送ユニット）に搬送し、再度画像形成装置を通過させると、１つの用紙の裏面にも画像が記録される。両面記録済みの用紙は第２搬送路を介して上記排紙台に導かれるように構成されたものである。
【０００８】
そして、特許文献２では、上記第２搬送路を形成するための第２カバー（第２搬送ガイド体）は、第１搬送路を形成するための第１カバー（第１搬送ガイド体）よりも、上方に配置されており、第２カバーを開き回動させるとき、第１カバーを開き回動させる開放連動機構を設けて、第１搬送路または第２搬送路のいずれで紙ジャムが発生しているかの判断が困難な場合には、第２カバー（装置本体奥側）と第１カバー（装置本体外側）とを同時に開放させて、紙ジャムを処理するものであった。
【特許文献１】特開２００６−１０３９５４号公報（図２〜図１１参照）
【特許文献２】特開平１１−２７２１４４号公報（第２図〜第４図参照）
【発明の開示】
【発明が解決しようとする課題】
【０００９】
しかしながら、特許文献１の構成のような、第１搬送路と第２搬送路とがほぼ同じ高さ位置に形成されたものに対して、特許文献２のような第２カバーを開き回動させるとき、第１カバーを開き回動させる開放連動機構を設ける構成を直接的に採用することができない。また、特許文献１の構成のような、第１搬送路と第２搬送路とがほぼ同じ高さ位置に形成されたものであって、内外両搬送ガイド体（第１搬送ガイド体と第２搬送ガイド体）の下端部をそれぞれ装置本体に対して回動可能に枢着した場合に、第２搬送路で紙ジャムが発生したときに、内外両搬送ガイド体を同時に開くと、第２搬送路中の用紙が内側の搬送ガイド体で押されて、用紙が破れるという問題がある。これを回避しようとすると、第１搬送ガイド体と第２搬送ガイド体と別々に開放回動させる操作が必要で、ジャム処理に手間が掛かるという問題があった。
【００１０】
さらに、特許文献１の構成のように、第１搬送路と第２搬送路とがほぼ同じ高さ位置にある場合、取り外し用の開口部を塞いで元の状態に戻すためには、装置本体奥側の第２カバーを装着した後、装置本体外側の第１カバーを装着するというように、２つのカバーを別々に取り扱う必要があり、回復作業が面倒であった。
【００１１】
本発明は、上記課題を解消するものであり、第１に紙ジャムが発生した場合の装置本体の内外の２つの搬送ガイド体（カバー体）の開放作業を簡便化してジャム処理の手間を少なくし、且つジャムした用紙に損傷を与えないで、搬送路を開放すること、第２に上記２つの搬送ガイド体（カバー体）を元の姿勢に戻す操作を簡便にできることを解決課題とするものである。
【課題を解決するための手段】
【００１２】
前記目的を達成するために、請求項１に記載の発明における画像記録装置は、装置本体の収容部に、上下に２段の第１及び第２給紙カセットがそれぞれ挿抜可能に配置され、前記収容部の上方に配置された記録部を有し、前記各給紙カセットに堆積状態で収容させた被記録媒体のうち１の被記録媒体を、それぞれ所定の搬送向きに給送して分離する給紙手段を備えた画像記録装置であって、前記装置本体のうち前記搬送向きの奥側に配置された第１搬送ガイド体の外周部とその外周側に配置された第２搬送ガイド体の内周部とにより、前記第１給紙カセットから給送された被記録媒体を前記記録部に案内する第１搬送路と、前記第２搬送ガイド体の外周部とその外周側に配置された第３搬送ガイド体の内周部とにより、前記第２給紙カセットから給送された被記録媒体を前記記録部に案内する第２搬送路と、が形成され、前記第２搬送ガイド体及び第３搬送ガイド体は、それぞれ、被記録媒体の案内向きの上流側端部を中心にして前記装置本体の前記搬送向きの奥側の開口部に対して開閉回動に装着され、前記第２搬送ガイド体又は前記第３搬送ガイド体のいずれか一方に配置された係合手段が、常には前記第２搬送路を挟んで前記第２搬送ガイド体又は前記第３搬送ガイド体のうち他方の被係合部に係合し、且つ前記第２搬送路を被記録媒体が通過するとき、被記録媒体の先端により、前記係合手段が前記被係合部に対する係合を解除されるように構成されているものである。
【００１３】
請求項２に記載の発明は、請求項１に記載の画像記録装置において、前記係合手段が前記被係合部に係合した状態では、前記開口部を開放するために前記第３搬送ガイド体を開く向きに回動させるとき、前記第２搬送ガイド体も同時に開く向きに回動するものである。
【００１４】
請求項３に記載の発明は、請求項１または２に記載の画像記録装置において、前記係合手段は、前記第２搬送路を通過する被記録媒体の搬送方向と交差する方向のうち、被記録媒体の幅方向の中央寄り部位に設けられていることを特徴とするものである。
【００１５】
請求項４に記載の発明は、請求項１乃至３のいずれかに記載の画像記録装置において、前記開口部を閉塞するために前記第３搬送ガイド体を閉じる向きに回動させるとき、前記第３搬送ガイド体の内周部に設けられた摺接部が、前記第２搬送ガイド体の外周部に摺接して、当該第２搬送ガイド体を閉じる向きに回動させるものである。
【００１６】
請求項５に記載の発明は、請求項１乃至４のいずれかに記載の画像記録装置において、前記第３搬送ガイド体には、装置本体に係脱することにより、前記開口部を閉塞する姿勢を保持するロック手段が備えられているものである。
【００１７】
請求項６に記載の発明は、請求項１乃至５のいずれかに記載の画像記録装置において、前記第２搬送ガイド体及び第３搬送ガイド体により閉塞する第１開口部が前記装置本体の一方の側面に設けられ、前記各給紙カセットは、前記第１開口部と対峙する側面に設けられた第２開口部から前記収納部へと挿入可能に構成されているものである。
【発明の効果】
【００１８】
請求項１に記載の発明によれば、第２搬送ガイド体及び第３搬送ガイド体は、それぞれ、被記録媒体の搬送方向上流側端部を中心にして前記装置本体の前記挿抜方向の奥側の開口部に対して開閉回動に装着され、前記第２搬送ガイド体又は前記第３搬送ガイド体のいずれか一方に配置された係合手段が、常には前記第２搬送路を挟んで前記第２搬送ガイド体又は前記第３搬送ガイド体のうち他方の被係合部に係合し、且つ前記第２搬送路を被記録媒体が通過するとき、被記録媒体の先端により、前記係合手段が前記被係合部に対する係合を解除されるものであるから、第２搬送路を通過する被記録媒体が紙ジャムを起こしたときには、第３搬送ガイド体のみを開くことができる。従って、内外２つの搬送ガイド体を開き回動するときに発生する被記録媒体の損傷を確実に防止することができる。
【００１９】
請求項２に記載の発明によれば、前記係合手段が前記被係合部に係合した状態では、前記開口部を開く向きに前記第３搬送ガイド体を回動させるとき、前記第２搬送ガイド体も同時に開く向きに回動できるように構成されているものであるので、請求項１に記載の発明による効果に加えて、被記録媒体が第２搬送路を通過していなければ、第３搬送ガイド体を開き回動させると係合手段を介してし第２搬送ガイド体も同時に開くことができる。従って、前記第２搬送路よりも内側の第１搬送路で紙ジャムが発生したときには、２つの搬送ガイド体を別々に取り扱う必要がなく、一挙に第１搬送路を開放できて、迅速な紙ジャム処理を実行できる。
【００２０】
請求項３に記載の発明によれば、前記係合手段は、前記第２搬送路を通過する被記録媒体の搬送方向と交差する方向のうち、被記録媒体の幅方向の中央寄り部位に設けられているので、通過する被記録媒体の先端縁のうち剛性が高い被記録媒体の幅方向の中央寄り部位にて簡単に係合手段を解除方向に押すことができる。
【００２１】
請求項４に記載の発明によれば、開口部を閉塞するように前記第３搬送ガイド体を閉じる向きに回動させるとき、前記第３搬送ガイド体の内周部に設けられた摺接部が、前記第２搬送ガイド体の外周部に摺接して、当該第２搬送ガイド体を閉じる向きに回動させるように構成したものであるから、紙ジャム処理が終わって、第３搬送ガイド体を元の姿勢（閉止姿勢）に戻す操作だけで、第２搬送ガイド体も円滑に元の閉止姿勢に戻せるので、操作性が向上する。
【００２２】
請求項５に記載の発明によれば、第３搬送ガイド体には、装置本体に係脱することにより、前記開口部を閉塞する姿勢を保持するロック手段が備えられているので、第２搬送路を通過する被記録媒体により押圧される第３搬送ガイド体がガタつくことを防止して紙ジャムが発生し難い状態に保持できる。
【００２３】
請求項６に記載の発明によれば、第２搬送ガイド体及び第３搬送ガイド体により閉塞する第１開口部が前記装置本体の一方の側面に設けられ、前記各給紙カセットは、前記第１開口部と対峙する側面に設けられた第２開口部から前記収納部へと挿入可能に構成されているので、紙ジャムが発生したときに各給紙カセットを装置本体から引き出しても、被記録媒体が損傷しない。
【発明を実施するための最良の形態】
【００２４】
以下、本発明の実施形態を、図面を参照しながら説明する。この実施形態では、画像記録装置として、プリンタ機能、スキャナ機能、コピー機能、ファクシミリ機能を有する多機能装置（ＭＦＤ：Multi Function Device）１を例示するが、画像記録装置は、スキャナ装置、コピー装置、ファクシミリ装置等の単機能の装置であってもよい。
【００２５】
図１及び図２は、実施形態の多機能装置１の外観斜視図であり、図１は前面開口部（給紙カセット挿抜用開口部、請求項にいう第２開口部である）１４を斜め上方から見た前面斜視図であり、図２は、後述する第３搬送ガイド体４３と、第３搬送ガイド体４３にて開閉される後面開口部（請求項にいう第１開口部である）３５を斜め上方から見た後面斜視図である。
【００２６】
多機能装置１の装置本体２における前側板２ａには、図１に示すように、前面開口部１４が設けられていて、上段給紙カセット（請求項の第１給紙カセットに相当）２０と下段給紙カセット（請求項の第２給紙カセットに相当）３０がいずれも、装置本体２内の記録部１２よりも下方に設けられた収容部に対して、前面開口部１４から挿抜可能（実質上水平方向に出し入れ可能）に配置されている。前面開口部１４と反対側、つまり、装置本体２における背面である後側板２ｂには、図２に示すように、第３搬送ガイド体４３にて塞がれる後面開口部３５が形成されている。以下、合成樹脂製の装置本体２の前面開口部１４がある側を前（手前）といい、これを基準に装置の後（奥、背面）、左右、という。また、多機能装置１の前後方向をＸ軸方向、左右方向をＹ軸方向とする。
【００２７】
多機能装置１は、その合成樹脂製の装置本体（ハウジング）２の上部に、コピー機能やファクシミリ機能における原稿読み取りなどのための画像読取装置（スキャナ部）３が配置されている。画像読取装置３は、原稿を読み取って画像データ（写真データや文書データ等も含む）を作成する（スキャナ機能）。
【００２８】
多機能装置１はそのコピー機能を用いて、画像読取装置３で作成した画像データを、被記録媒体の一例である用紙に、画像（写真、文書）として記録することができる。また多機能装置１はそのファクシミリ機能を用いて、画像読取装置３で作成した画像データを、電話通信網を介して他のファクシミリ装置等の外部通信装置に送信することができる。さらに、多機能装置１は、画像読取装置３で作成した画像データを、ケーブル等を介して接続したパーソナルコンピュータ等に送信することもできる。
【００２９】
本実施形態では、画像読取装置３は、所謂フラットベッドスキャナとして構成されている。多機能装置１は、その天板として開閉自在に設けられた原稿カバー４の下側に、原稿読取用ガラス及びイメージセンサ（共に図示せず）が設けられている。イメージセンサは、Ｘ軸方向（図１参照）に長いＣＩＳ（Contact Image Sensor) を採用しているが、ＣＣＤ（Charge Coupled Devise）を用いてもよい。読取用ガラスに、画像を読み取られるべき原稿が載置され、読取用ガラスの下方をイメージセンサがＹ軸方向（図１参照）に往復移動することにより、画像の読み取りが行なわれる。
【００３０】
原稿カバー４には、自動原稿搬送機構であるオート・ドキュメント・フィーダ（ＡＤＦ；Auto Document Feeder）７が設けられている。ＡＤＦ７は、原稿トレイ８（図１では閉じた状態を図示）に載置された原稿を１枚ずつ読取用ガラス上に搬送し、読取用ガラス５の下方に静置させたイメージセンサで原稿の読み取りを行う。読み取られた原稿は、原稿用排出トレイ９に排出される。多機能装置１の前面上部には、各種動作を指令するために、操作ボタンや液晶表示部を備える操作パネル１０が設けられている（図１参照）。
【００３１】
多機能装置１の内部構成について説明する。装置本体２内の収容部の上部には記録部１２が備えられている。記録部１２はインクジェット式の記録ヘッド１３を搭載したキャリッジ１５を備えている。そして、装置本体２の内部に収納された図示しないインクカートリッジから、可撓性を有するインク供給管（チューブ）を介して、各色のインクがそれぞれ独立して記録ヘッド１３に供給される。
【００３２】
キャリッジ１５は、収容部のメインフレーム１６に設けられた一対のガイドレール板（図示せず）に沿ってＹ軸方向（図１参照）に往復移動する。その際に、画像データに基づいて記録ヘッド１３からインクを選択的に吐出することにより、メインフレーム１６に固定されたプラテン１７上の被記録媒体である用紙Ｐ（Ｐ１）に画像を記録する。
【００３３】
上段給紙カセット２０（請求項にいう第１給紙カセット）及び下段給紙カセット３０（請求項にいう第２給紙カセット）は、いずれも被記録媒体である用紙Ｐ，Ｐ１を多数枚、堆積状態で収容できるように構成されている。上段及び下段給紙カセット２０，３０は、収容されている用紙の給送方向と一致するように前面開口部１４を介して多機能装置１の収容部に対して挿入される。また、上段及び下段給紙カセット２０，３０は、用紙の給送方向と逆方向に前面開口部１４を介して収容部から引き出すことができる。上段及び下段給紙カセット２０，３０の挿抜方向（Ｘ軸方向）の奥側が、用紙の給送方向の下流側となる。なお、下段給紙カセット３０は上段給紙カセット２０に比べて、収容できる用紙の枚数が多く、大容量タイプの給紙カセットである。換言すれば、上段給紙カセット２０は下段給紙カセット３０に比べて高さ（厚み）が低く形成されている。
【００３４】
上段給紙カセット２０の奥側（図３（Ａ）の右側）には、上段傾斜分離板２１が設けられている。上段給紙カセット２０の底面における奥側寄りの位置に対向して、上段給紙アーム２２の先端に軸支された上段給紙ローラ２３が配置されている。上段給紙アーム２２は下向きに付勢されていて、上段給紙カセット２０に堆積状態で収容されている用紙の最上面に、上段給紙ローラ２３が当接するようになっている。これが請求項にいう給紙手段である。図示しない駆動源から駆動力が上段給紙ローラ２３に伝達されて回転すると、上段傾斜分離板２１との公知の協働作用によって、最上層の用紙Ｐが１枚ずつ分離されて、後述する上方の上段用紙搬送路２４（請求項にいう第１搬送路）に案内される。
【００３５】
上段用紙搬送路２４は、上段傾斜分離板２１から上方に向かった後、多機能装置１の前面側へ曲がるＵターン形状に形成されている。従って、用紙Ｐは記録部１２で画像記録が行われた後に、上段給紙カセット２０の上面に配置された排紙トレイ体４０上に排出される。上段給紙アーム２２は、上段給紙カセット２０を挿抜する動作に伴って、昇降動作するように構成されていて、上段給紙ローラ２３が上段傾斜分離板２１と衝突することを回避できる。
【００３６】
下段給紙カセット３０も基本的に上段給紙カセット２０と同様に形成されていて、その奥側（図３（Ｂ）の右側）には、下段傾斜分離板３１が設けられている。また、下段給紙カセット３０の底面における奥側寄りの位置に対向して、下段給紙アーム３２の先端に軸支された下段給紙ローラ３３が配置されている。下段給紙アーム３２は下向きに付勢されていて、下段給紙カセット３０に堆積状態で収容されている用紙Ｐ１の最上面に、下段給紙ローラ３３が当接するようになっている。図示しない駆動源から駆動力が下段給紙ローラ３３に伝達されて回転すると、下段傾斜分離板３１との公知の協働作用によって、最上層の用紙Ｐ１が１枚ずつ分離されて、後述する上方の下段用紙搬送路３４（請求項にいう第２搬送路）に案内される。
【００３７】
下段用紙搬送路３４は、上段用紙搬送路２４よりも湾曲半径の外側に設けられていて、下段傾斜分離板３１から上方に向かった後、多機能装置１の前面側へ曲がるＵターン形状（上段用紙搬送路２４よりも大きな円弧状）に形成されている。上段用紙搬送路２４と下段用紙搬送路３４とは、後述するように、記録部１２よりも用紙の搬送方向上流側において合流している。従って、下段用紙搬送路３４を経て搬送された用紙Ｐ１は記録部１２で画像記録が行われた後に、同じく排紙トレイ体４０上に排出される。下段給紙アーム３２は、下段給紙カセット３０を挿抜する動作に伴って、昇降動作するように構成されていて、下段給紙ローラ３３が下段傾斜分離板３１と衝突することを回避できる。なお、使用者は排紙トレイ体４０上の用紙Ｐ、Ｐ１を、前面開口部１４から装置本体２の前面側に取り出すことができる。
【００３８】
本実施形態においては、下段給紙カセット３０も上段給紙カセット２０と同様に、装置本体２に対して挿抜可能、すなわち取り外しが可能に構成されているが、上下段給紙カセット２０，３０共に、装置本体２に対して進退動可能のみであってもよい。すなわち各段給紙カセット２０、３０のほとんどの部分を装置本体２から引き出せるものの、装置本体２から取り外すことができない構成であってもよい。
【００３９】
上段給紙カセット２０（第１給紙カセット）上の用紙Ｐを記録部１２にＵ字状に搬送案内する上段用紙搬送路２４（第１搬送路）は、装置本体２のうち挿抜方向の奥側であって装置本体２の背面である後側板２ｂに穿設された後面開口部３５よりも内側に配置された第１搬送ガイド体４１とその外周側に配置された第２搬送ガイド体４２の内周側とにより形成される。第１搬送ガイド体４１は、装置本体２のメインフレーム１６に固定されている。
【００４０】
上段用紙搬送路２４と下段用紙搬送路３４との搬送下流側端での合流部と、キャリッジ１５とプラテン１７とによる記録部１２の搬送上流部との間には、搬送された用紙Ｐ（Ｐ１）の斜行を修正して記録部１２へ用紙Ｐ（Ｐ１）を間欠的に搬送するためのレジストローラ対２７が設けられている。記録部１２を挟んで搬送下流側には、記録済みの用紙Ｐ（Ｐ１）を、上段給紙カセット２０の上面に設けられた排紙トレイ４０上に搬送するための排紙ローラ対２８が配置されている（図３参照）。レジストローラ対２７は用紙Ｐ（Ｐ１）を挟む下側のローラが従動ローラであり、上側のローラが駆動ローラとして構成されている。排紙ローラ対２８は、用紙Ｐ（Ｐ１）の上面（記録面）に接する拍車ローラと下面（被記録面）側の排紙ローラとからなる。
【００４１】
下段給紙カセット３０（第２給紙カセット）上の用紙Ｐ１を記録部１２にＵ字状に搬送案内する下段用紙搬送路（第２搬送路）３４は、第２搬送ガイド体４２の外周側とその外周側に配置された第３搬送ガイド体４３の内周側とにより形成される。上段用紙搬送路２４と下段用紙搬送路３４との搬送下流側端での合流部の高さ位置はほぼ同じである。そして、第２搬送ガイド体４２及び第３搬送ガイド体４３は、それぞれ、用紙Ｐ（Ｐ１）の搬送方向上流側端部（装置本体２の下側寄り部位）の横軸４４、４５を中心にして装置本体２の後側板２ｂに形成された後面開口部３５に対して開閉回動に装着されている（図５（Ａ）、図５（Ｂ）参照）。
【００４２】
第３搬送ガイド体４３の回動部の詳細は、図３（Ａ）〜図５（Ｂ）に示すように、装置本体２の後側板２ｂの左右両側から後面開口部３５の左右両側縁に沿って後外向きにフランジ板部４６ａを有する枠部４６が突出形成されている。第３搬送ガイド体４３の背面板４３ａ左右両側には一対の鰭部４３ｂが、その内面とフランジ板部４６ａの外面とが対面して沿うように形成されている。そして、各鰭部４３ｂに横軸４５が突設され、フランジ板部４６ａに設けられている図示しない軸受にて横軸４５を回動自在に軸支している。
【００４３】
第２搬送ガイド体４２の外周部及び第３搬送ガイド体４３の内周部には、用紙Ｐの幅方向（Ｙ軸方向）に適宜間隔にて多数のリブ板５０、５１が一体的に形成されている。リブ板５０の外周縁及びリブ板５１の内周縁は、Ｙ軸方向に沿って見る側面視で、下段用紙搬送路３４（第２搬送路）の湾曲部を形成するように構成されている（図５（Ａ）、図５（Ｂ）など  参照）。
【００４４】
第３搬送ガイド体４３の背面板４３ａのうち、左右中央部位の上側の把手用装着凹部５２には、ロック手段である左右一対の爪部５３ｂが備えられた把手５３が配置され、把手５３から横向きに突出する横軸５３ａは把手用装着凹部５２の近傍の凹溝状の軸受５２ａに回動可能に嵌め入れられている。そして、上向きに突出された各爪部５３ｂが装置本体２のフレームに設けられた係合部５４に下方から係合する方向に付勢されるように、把手５３がバネ５５にて連結されている（図８参照）。従って、第３搬送ガイド体４３を装置本体２の後側板２ｂの後面開口部３５を塞ぐ（閉じる）ように回動させると、一対の爪部５３ｂが係合部５４に下方から係合し、バネ５５にて自動的に係合状態を保持できる。
【００４５】
第２搬送ガイド体４２に配置された係合手段としてのフック体５８は、常には下段用紙搬送路３４を挟んで第３搬送ガイド体４３に設けられた被係合部６３に係合している。そして、下段用紙搬送路３４を用紙Ｐ１が通過するとき、用紙Ｐ１の先端により、フック体５８が突き上げられ、第３搬送ガイド体４３の被係合部６３に対するフック体５８の係合が解除されるように構成されている（図５（Ａ）、図５（Ｂ）参照）。
【００４６】
より詳しく説明すると、１つのフック体５８は、下段用紙搬送路３４を通過する用紙Ｐ１の搬送方向と交差する方向のうち、用紙Ｐ１の幅方向の中央寄り部位に設けられている。さらに詳述すると、樹脂製などの重量の軽く形成されたフック体５８は、第２搬送ガイド体４２の外周側の多数のリブ板５０のうち用紙Ｐ１の幅方向の中央寄り部位に位置する一対のリブ板５０の間に配置されている。そして、フック体５８の基部の枢軸５９は一対のリブ板５０に支持されている（図６参照）。枢軸５９に中途部が巻回された捩じりバネ６０の一端はフック体５８の上面に係止され、捩じりバネ６０の他端は第２搬送ガイド体４２の外周側の適宜個所に係止されている。この構成により、フック体５８の係合爪５８ａが下向き方向（被係合部６３に係合する方向）に付勢されている（図５（Ａ）参照）。
【００４７】
被係合部６３は、第３搬送ガイド体４３の内周側の一対のリブ板５１の間に設けられている。係合爪５８ａの幅寸法Ｗ１に対して、被係合部６３の幅寸法Ｗ２を小さく設定する（図７（Ｂ）参照）。
【００４８】
上記捩じりバネ６０の付勢力は、下段用紙搬送路３４を下方から通過する用紙Ｐ１の先端によりフック体５８を突き上げると、フック体５８の係合爪５８ａが被係合部６３から外れてフック体５８が上向き回動（図７（Ａ）の反時計周りの回動）する程度の小さい力である。
【００４９】
下段用紙搬送路３４を下方から通過する用紙Ｐ１の先端により、捩じりバネ６０の付勢力に抗してフック体５８が突き上げられるとき、当該用紙Ｐ１の先端がフック体５８の係合爪５８ａに引っ掛かって、紙ジャムになるのを防止するため、係合爪５８ａを挟んでフック体５８の左右両側面に用紙に対する滑りの良い樹脂板６１が接着剤などにて固定されている。また、樹脂板６１の下端縁６１ａが被係合部６３の最下端よりも下方に位置すると共に、下端縁６１ａに当接した用紙Ｐ１の先端がフック体５８の係合爪５８ａ側（自由端側）に滑り易いように平滑に形成されていることが好ましい。
【００５０】
上記の構成によれば、画像記録装置１への画像記録指令があり、その用紙サイズが指定されると、該当するサイズの用紙が堆積収容された上段給紙カセット２０または下段給紙カセット３０のいずれかが選択される。上記選択指令により上段給紙ローラ２３が駆動すると、上段給紙カセット２０上の用紙Ｐのうち最上位の１枚の用紙Ｐが上段傾斜分離板２１との協働作用にて分離されて、当該用紙Ｐは上段用紙搬送路２４に送り出され、レジストローラ対２７を介して記録部１２へ搬送される。
【００５１】
下段給紙ローラ３３が駆動するときには、下段給紙カセット３０上の用紙Ｐ１のうち最上位の１枚の用紙Ｐ１が下段傾斜分離板３１との協働作用にて分離されて、当該用紙Ｐ１は下段用紙搬送路３４に送り出され、レジストローラ対２７を介して記録部１２へ搬送される。
【００５２】
上段用紙搬送路２４にて紙ジャムが発生した場合（下段用紙搬送路３４中に用紙Ｐ１が存在しない場合）の処理では、第２搬送ガイド体４２と第３搬送ガイド体４３とが係合手段であるフック体５８にて連結されたままの状態である。このため、把手５３を回動させてロック手段（爪部５３ｂ）のフック解除により、第３搬送ガイド体４３を図３（Ａ）にて時計方向に回動させると、第２搬送ガイド体４２も共に回動する。第３搬送ガイド体４３の開き角度が大きくなると、第２搬送ガイド体４２における横軸４４の高さ位置が第３搬送ガイド体４３における横軸４５の高さ位置よりも高い位置にある（偏心している）ため、フック体５８が第３搬送ガイド体４３の被係合部６３から外れる。第２搬送ガイド体４２の重心位置が横軸４４よりも外にあるため、第２搬送ガイド体４２は自然に大きく開き、第３搬送ガイド体４３も大きく開くことができる（図４（Ａ）参照）。これにて、第３搬送ガイド体４３の開き操作だけで、装置本体２の背面側の後面開口部３５を大きく開放することができる。
【００５３】
上段用紙搬送路２４中の用紙Ｐの先端がレジストローラ対２７にニップされた状態で、上段用紙搬送路２４にて紙ジャムが発生したときであっても、上述のように、内外両搬送ガイド体４２、４３を一度に開くことで、紙ジャム処理が迅速にできる。
【００５４】
下段用紙搬送路３４にて搬送される用紙Ｐ１の先端がフック体５８の位置を越えて搬送下流側にあって、紙ジャムが発生した場合には、上述のように、フック体５８が突き上げられ、被係合部６３との係合が解除される（図３（Ｂ）及び図５（Ｂ）参照）。この状態で、把手５３を回動させてロック手段（爪部５３ｂ）のロックを解除すると、下段用紙搬送路３４のみを大きく開き回動できる（図４（Ｂ）参照）。従って、下段用紙搬送路３４中の用紙Ｐ１を簡単に除去できる。紙ジャム時の用紙Ｐ１の先端がレジストローラ対２７にニップされ、且つ当該用紙Ｐ１の後側が下段給紙ローラ３３にてニップされているときでも、下段用紙搬送路３４のための外径側の第３搬送ガイド体４３のみを開くので、用紙Ｐ１が破損することはない。
【００５５】
次に、後面開口部３５を閉塞する場合に、第２搬送ガイド体４２と第３搬送ガイド体４３とをこの順序で別々に閉じる作業を行なうことなく、第３搬送ガイド体４３の閉じ操作だけで、第２搬送ガイド体４２も閉じる方向に回動させる構成について説明する。
【００５６】
図９（Ａ）〜図９（Ｅ）に示すように、後面開口部３５を閉塞するように第３搬送ガイド体４３を内向き（図９（Ａ）〜図９（Ｅ）に示すように時計廻り）に回動させるとき、第３搬送ガイド体４３の内周側に設けられた摺接案内部６５が、第２搬送ガイド体４２の外周の被案内部６７に摺接して、当該第２搬送ガイド体４２を内向きに回動させるように構成したものである。左右一対の摺接案内部６５は、第２搬送ガイド体４２における用紙Ｐ１が摺接通過しうる全てのリブ板５０よりも左右両外側に配置された板６６外周端面に形成されている。同じく左右一対の被案内部６７は左右一対の摺接案内部６５と対面する位置であり、第３搬送ガイド体４３における全てのリブ板５０よりも左右両外側に配置され、且つ各鰭部４３ｂよりも内側に配置された板６８の内周端面に形成されるものである。
【００５７】
第２搬送ガイド体４２の横軸４４が第３搬送ガイド体４３の横軸４５よりも装置本体２の高い位置にあるので、図９（Ａ）〜図９（Ｅ）を観察して理解できるように、第３搬送ガイド体４３が大きく開いた角度（略水平状）から、横軸４５を中心にして立ち上がり回動するにつれて、第２搬送ガイド体４２における摺接案内部６５の被案内部６７に対する摺接位置が第３搬送ガイド体４３の自由端側（上側）に順次移動することになる。
【００５８】
従って、上向き回動する第３搬送ガイド体４３の内周面の摺接案内部６５で第２搬送ガイド体４２を掬い上げながら、両搬送ガイド体４２、４３を一挙に閉塞回動させることができる。
【００５９】
第３搬送ガイド体４３には、後面開口部３５を閉塞する姿勢を保持するために、装置本体２に係脱するロック手段（爪部５３ｂ）が備えられているから、下段用紙搬送路３４を通過する用紙Ｐ１により第３搬送ガイド体４３が押されても、ガタつくことがない。
【００６０】
第２搬送ガイド体４２及び第３搬送ガイド体４３により閉塞する後面開口部３５が装置本体の一方の側面に設けられ、各給紙カセット２０、３０は、後面開口部３５と対峙する側面に設けられた前面開口部１４から収納部へと挿入可能に構成されている場合には、紙ジャム発生時に、各給紙カセット２０、３０を前面開口部１４から引き出しても、各用紙Ｐ（Ｐ１）が損傷することが少ない。
【００６１】
本発明では、第３搬送ガイド体４３に係合手段であるフック体５８を設ける一方、第２搬送ガイド体４２に被係合部６３を設けるように構成しても良い。その場合も、下段用紙搬送路３４を下方から通過する用紙Ｐ１の先端により、捩じりバネ６０の付勢力に抗してフック体５８が突き上げられて、被係合部６３から係合解除される構成であることはいうまでもない。また、フック体５８が被係合部６３に係合している状態では、把手５３を回動させてロック手段（爪部５３ｂ）のフック解除により、第３搬送ガイド体４３を図３（Ａ）にて時計方向に回動させると、第２搬送ガイド体４２も共に回動するものである。
【図面の簡単な説明】
【００６２】
【図１】画像記録装置の実施形態としての多機能装置の前側から見た斜視図である。
【図２】同じく背面側から見た斜視図である。
【図３】（Ａ）は図２の IIIA −IIIA線矢視側断面において上段給紙カセット２０からの給紙動作を示し、（Ｂ）は同じ側断面図における下段給紙カセット３０からの給紙動作を示す。
【図４】（Ａ）は第２搬送ガイド体４２及び第３搬送ガイド体４３を連動して開き回動させた状態の側断面図、（Ｂ）は第３搬送ガイド体４３のみを開き回動させた状態の側断面図である。
【図５】（Ａ）は第２搬送ガイド体４２と第３搬送ガイド体４３とがフック体５８にて連結されている状態の側断面図、（Ｂ）はフック体５８の係合が解除されている状態の側断面図である。
【図６】フック体５８の斜視図である。
【図７】（Ａ）はフック体５８の作用を示す要部拡大断面図、（Ｂ）は図７（Ａ）のVIIB−VIIB線矢視側断面である。
【図８】第３搬送ガイド体４３のロック手段を示す、概略平面図である。
【図９】（Ａ）〜（Ｆ）は第３搬送ガイド体４３の閉塞回動で、第２搬送ガイド体４２を閉塞方向に掬い上げる様子の変化を示す側面図である。
【符号の説明】
【００６３】
１        多機能装置
１２      記録部
１３      記録ヘッド
１４      前面開口部
２０      第１給紙カセット（上段給紙カセット）
２１      上段傾斜分離板
２３      上段給紙ローラ
２４      上段用紙搬送路（第１搬送路）
２７      レジストローラ対
３０      下段給紙カセット
３１      下段傾斜分離板
３３      下段給紙ローラ
３４      下段用紙搬送路（第２搬送路）
３５      後面開口部
４１      第１搬送ガイド体
４２      第２搬送ガイド体
４３      第３搬送ガイド体
４４、４５    横軸
５０、５１    リブ板
５３      把手
５３ｂ    爪部（フック手段）
５８      フック体（係合手段）
６３      被係合部
【図１】
2010083626.tif 000003
【図２】
2010083626.tif 000004
【図３】
2010083626.tif 000005
【図４】
2010083626.tif 000006
【図５】
2010083626.tif 000007
【図６】
2010083626.tif 000008
【図７】
2010083626.tif 000009
【図８】
2010083626.tif 000010
【図９】
2010083626.tif 000011